(57)【要約】【課題】読み取られる画像データのファイルサイズを、指定したファイルサイズ以内に容易に収めることができる画像ファイル化技術を提供する。【解決手段】原稿上の画像を読み取って保管する画像読み取り保管装置において、主制御部３は、画像読み取り部１により読み取られた１ページまたは複数ページの画像データのファイルサイズが指定されたファイルサイズ以上か否かを判定し、前記画像データのファイルサイズが指定されたファイルサイズ以上であると判定された場合、ファイルサイズ調整制御部５により前記画像データの解像度を自動調整させ、作成する画像データのファイルサイズを前記指定されたファイルサイズ以下にする構成にした。【選択図】　　　図１
2004080336.tif 000002
【特許請求の範囲】
【請求項１】
原稿上の画像を読み取って保管する画像読み取り保管装置において、画像読み取り手段により読み取られた１ページまたは複数ページの画像データのファイルサイズが指定されたファイルサイズ以上か否かを判定するサイズ判定手段と、そのサイズ判定手段により前記画像データのファイルサイズが指定されたファイルサイズ以上であると判定された場合、前記画像データの解像度を自動調整して、作成する画像データのファイルサイズを前記指定されたファイルサイズ以下にする解像度調整手段と、を備えたことを特徴とする画像読み取り保管装置。
【請求項２】
原稿上の画像を読み取って保管する画像読み取り保管装置において、画像読み取り手段により読み取られた１ページまたは複数ページの画像データのファイルサイズが指定されたファイルサイズ以上か否かを判定するサイズ判定手段と、そのサイズ判定手段により前記画像データのファイルサイズが指定されたファイルサイズ以上であると判定された場合、１個のファイルのファイルサイズが指定されたファイルサイズ以下になるように、ファイルを自動的に分割するファイル分割手段とを備えたことを特徴とする画像読み取り保管装置。
【請求項３】
原稿上の画像を読み取り、読み取った画像データをファイル化する画像ファイル化方法において、読み取られた１ページまたは複数ページの画像データのファイルサイズが指定されたファイルサイズ以上か否かを判定し、指定されたファイルサイズ以上であると判定された場合、前記画像データの解像度を自動調整して、作成する画像データのファイルサイズを前記指定されたファイルサイズ以下にすることを特徴とする画像ファイル化方法。
【請求項４】
原稿上の画像を読み取り、読み取った画像データをファイル化する画像ファイル化方法において、読み取られた１ページまたは複数ページの画像データのファイルサイズが指定されたファイルサイズ以上か否かを判定し、指定されたファイルサイズ以上であると判定された場合、１個のファイルのファイルサイズが指定されたファイルサイズ以下になるように、ファイルを自動的に分割することを特徴とする画像ファイル化方法。
【請求項５】
請求項４記載の画像ファイル化方法において、読み取られた複数ページの画像データのファイルを分割する場合、ページを単位にして分割することを特徴とする画像ファイル化方法。
【発明の詳細な説明】
【０００１】
【発明の属する技術分野】
本発明は、スキャナなど画像読み取り手段により読み取られた画像データをファイル化する画像ファイル化技術に関する。
【０００２】
【従来の技術】
多機能化されたデジタル複写機やネットワークに接続された画像サーバなどでは、スキャナなど画像読み取り手段により原稿上の画像を読み取ったり、読み取った画像データを印刷（プリント）するだけでなく、読み取った画像データをネットワークを介して配信したり、ファイル化して保存した後、保存された画像データのなかから指定の画像データを印刷したり、配信したりする。
しかし、画像データは保存のために膨大な記憶容量を必要とする。そのため、特開２０００−１３５７７公報および特開平１０−１１６３３９号公報に示された従来技術では、読み込んだ画像データがデータを保存するためのメモリ容量の残量より大きいとき、自動的に解像度を下げて再スキャンし、画像データを読み込む。
また、特開平１１−９８３１４号公報に示された従来技術では、原稿サイズに応じて解像度を可変にすることにより、原稿サイズが大きいときには解像度を下げ、消費される記憶容量の増大化を防いでいる。
一方、画像読み取りにおいては、どのような読み取り条件に設定して読み取るのが最適なのか利用者にはわかりづらく、したがって、再試行を繰り返さねばならないという問題もあった。そのため、特開２００２−４４３１７公報に示された従来技術では、原稿サイズおよび色数、または搭載されているメモリ容量などから自動的に読み取り条件（読み取りパラメータ）を求め、その読み取り条件を利用者に提示して調整させ、調整された読み取り条件で画像読み取りを１回だけおこない、読み取られた画像情報が要求された画像と不一致の場合には、利用者にパレット画像を提示したりして読み取り条件を再調整させ、再調整された読み取りパラメータを用いて読み取り済の画像データを補正する。
【０００３】
【発明が解決しようとする課題】
前記したように、特開２０００−１３５７７公報および特開平１０−１１６３３９号公報に示された従来技術では、読み込んだ画像データがデータを保存するためのメモリ容量の残量より大きいとき、自動的に解像度を下げて再スキャンするが、多数の画像ファイルを保存する場合には、個々のファイルごとにファイルサイズを制限する必要があるし、配信などの際に電子メールに添付するファイルのファイルサイズが制限されているような場合においても個々のファイルごとにファイルサイズを制限する必要がある。
また、特開平１１−９８３１４号公報に示された従来技術では、原稿サイズに応じて解像度を可変にするので、個々のファイルのファイルサイズを所定サイズ以下に収めることはできないという問題がある。また、特開２００２−４４３１７公報に示された従来技術では、原稿サイズおよび色数、または搭載されているメモリ容量から、読み取り条件が求められるので、メモリ容量に応じて解像度も調整されるが、同様に、個々のファイルのファイルサイズを所定サイズ以下に収めることはできない。
本発明の目的は、このような従来技術の問題を解決することにあり、具体的には、読み取られる画像データのファイルサイズを、指定したファイルサイズ以内に容易に収めることができる画像ファイル化技術を提供することにある。
【０００４】
【課題を解決するための手段】
前記の課題を解決するために、請求項１記載の発明では、原稿上の画像を読み取って保管する画像読み取り保管装置において、画像読み取り手段により読み取られた１ページまたは複数ページの画像データのファイルサイズが指定されたファイルサイズ以上か否かを判定するサイズ判定手段と、そのサイズ判定手段により前記画像データのファイルサイズが指定されたファイルサイズ以上であると判定された場合、前記画像データの解像度を自動調整して、作成する画像データのファイルサイズを前記指定されたファイルサイズ以下にする解像度調整手段とを備えた。
また、請求項２記載の発明では、原稿上の画像を読み取って保管する画像読み取り保管装置において、画像読み取り手段により読み取られた１ページまたは複数ページの画像データのファイルサイズが指定されたファイルサイズ以上か否かを判定するサイズ判定手段と、そのサイズ判定手段により前記画像データのファイルサイズが指定されたファイルサイズ以上であると判定された場合、１個のファイルのファイルサイズが指定されたファイルサイズ以下になるように、ファイルを自動的に分割するファイル分割手段とを備えた。
【０００５】
また、請求項３記載の発明では、原稿上の画像を読み取り、読み取った画像データをファイル化する画像ファイル化方法において、読み取られた１ページまたは複数ページの画像データのファイルサイズが指定されたファイルサイズ以上か否かを判定し、指定されたファイルサイズ以上であると判定された場合、前記画像データの解像度を自動調整して、作成する画像データのファイルサイズを前記指定されたファイルサイズ以下にする構成にした。
また、請求項４記載の発明では、原稿上の画像を読み取り、読み取った画像データをファイル化する画像ファイル化方法において、読み取られた１ページまたは複数ページの画像データのファイルサイズが指定されたファイルサイズ以上か否かを判定し、指定されたファイルサイズ以上であると判定された場合、１個のファイルのファイルサイズが指定されたファイルサイズ以下になるように、ファイルを自動的に分割する構成にした。
また、請求項５記載の発明では、請求項４記載の発明において、読み取られた複数ページの画像データのファイルを分割する場合、ページを単位にして分割する構成にした。
【０００６】
【発明の実施の形態】
以下、図面により本発明の実施の形態を詳細に説明する。
図１は本発明の第１の実施例を示す画像読み取り保管装置の構成ブロック図である。図示したように、この実施例の画像読み取り保管装置は、原稿上の画像を読み取る画像読み取り部１、その画像読み取りを制御する読み取り制御部２、この画像読み取り保管装置の全体を制御したり管理したりする主制御部３、読み取られた画像データを保管しておく画像データ保管部（例えばハードディスク記憶装置）４、読み取られた画像データのファイルサイズが指定されたファイルサイズ以上か否かを判定し、指定されたファイルサイズ以上である場合には画像データの解像度を自動調整して、作成する画像データのファイルサイズを前記指定されたファイルサイズ以下にするファイルサイズ調整制御部５、ファイルサイズが調整された画像データを送信したり印刷させたりする画像データ出力制御部６、キーボードやマウスなどを有してデータや指示を入力する入力装置７、および表示装置８などを備えている。なお、この実施例では、請求項記載の画像読み取り手段は画像読み取り部１および読み取り制御部２により実現され、サイズ判定手段、解像度調整手段は、それぞれ、主制御部３、ファイルサイズ調整制御部５により実現される。また、前記画像読み取り制御部２、主制御部３、ファイルサイズ調整制御部５、および画像データ出力制御部６は、プログラムを記憶するメモリ、およびそのプログラムに従って動作するＣＰＵなどにより実現される。
【０００７】
図２に、この実施例の動作フローを示す。以下、図２に従って、この実施例の動作を説明する。
この実施例では、例えば、読み込んだ１ページまたは複数ページの画像データを２Ｍバイトまでしか送受信できない電子メールを用いて送信するとき、まず、入力装置７より、希望の解像度（最大値）を設定するとともに、出来上がりの画像データのファイルサイズを２Ｍバイト以下に設定する（Ｓ１）。
続いて、画像読み取り部１および読み取り制御部２により原稿上の画像を指定の解像度で読み取り（Ｓ２）、主制御部３は読み取られた画像データを画像データ保管部４に格納する（Ｓ３）。そして、主制御部３は格納された画像データのデータサイズを基にその画像データのファイルサイズを算出する（Ｓ４）。
次に、主制御部３は、その画像データのファイルサイズを利用者によって指定されたファイルサイズと比較し（Ｓ５）、指定されたファイルサイズ（この例では２Ｍバイト）より大きくなってしまった場合（Ｓ５でＹｅｓ）、画像データ保管部４に格納されている画像データを２Ｍバイト以下になるようにファイルサイズ調整制御部５が間引き処理をおこない（解像度を下げ）、画像データのファイルサイズを２Ｍバイト以下にする（Ｓ６）。または自動的に解像度を下げて再読み込みをして２Ｍバイト以下になるようにする。そして、２Ｍバイト以下に収めた画像データのファイルを画像データ保管部４に保管する（Ｓ７）。また、２Ｍバイトより小さい場合は（Ｓ５でＮｏ）、その画像データのファイルをそのまま画像データ保管部４に保管する（Ｓ７）。
最後に、２Ｍバイト以下に収めた画像データのファイルを例えば電子メールに添付して送信する（Ｓ８）。
こうして、この実施例によれば、利用者は利用者の使用環境に応じて希望するファイルサイズ以下の画像データを容易に作成することができる。
【０００８】
図３は、本発明の第２の実施例を示す動作フロー図である。なお、構成は図１に示した第１の実施例の構成と同様である。また、この実施例では、請求項２記載のファイル分割手段がファイルサイズ調整制御部５により実現される。以下、図３に従ってこの実施例の動作を説明する。
この実施例では、読み込んだ１ページまたは複数ページの画像データを例えば２Ｍバイトまでしか送受信できない電子メールを用いて、送信するとき、まず、入力装置７より、希望の解像度（固定値）を設定するとともに、出来上がりの画像データのファイルサイズを２Ｍバイト以下に設定する（Ｓ１１）。そして、画像読み取り部１および読み取り制御部２により原稿上の画像を指定の解像度で読み取り（Ｓ１２）、主制御部３は読み取られた画像データを画像データ保管部４に格納する（Ｓ１３）。
続いて、主制御部３は格納された画像データのデータサイズを基にその画像データのファイルサイズを算出し（Ｓ１４）、そのファイルサイズを利用者によって指定されたファイルサイズと比較し（Ｓ１５）、指定されたファイルサイズ（この例では２Ｍバイト）より大きくなってしまった場合（Ｓ１５でＹｅｓ）、画像データ保管部４に格納されている画像データのファイルサイズが２Ｍバイト以下になるようにファイルサイズ調整制御部５が画像データを分割する（２Ｍバイトを越える位置で分割し、残りがまだ２Ｍバイトを越えるようなら更に分割して、１個当たりのファイルサイズが２Ｍバイト以下になるまで分割する）（Ｓ１６）。または、１個当たりのファイルサイズが２Ｍバイト以下になるように等分する。そして、２Ｍバイト以下に収めた画像データの各ファイルを画像データ保管部４に保管する（Ｓ１７）。また、その画像データのファイルサイズが２Ｍバイトより小さい場合は（Ｓ１５でＮｏ）、その画像データをそのままファイル化して画像データ保管部４に保管する（Ｓ１７）。
最後に、２Ｍバイト以下に収めた画像データの各ファイルを別の電子メールに添付して送信する（Ｓ１８）。
こうして、この実施例によれば、利用者は、利用者の使用環境に応じて希望するファイルサイズ以下で、希望通りの画質の画像データを容易に作成し、保管したり送信したりすることができる。
なお、前記において、画像データが複数ページである場合は、ページ単位で画像データを分割する。このように、ページ単位に分割しておけば、分割したファイルを合成しなくてもよく、内容を容易に確認することができるのである。
【０００９】
【発明の効果】
以上説明したように、本発明によれば、請求項１および請求項３記載の発明では、原稿上の画像を読み取り、読み取った画像データをファイル化する際、読み取られた１ページまたは複数ページの画像データのファイルサイズが指定されたファイルサイズ以上か否かが判定され、指定されたファイルサイズ以上であると判定された場合、画像データの解像度が自動調整されるので、作成する画像データのファイルサイズを容易に指定されたファイルサイズ以内に収めることができ、したがって、例えば電子メールにより画像データを送受信しようとする場合、送受信可能なファイルサイズが制限されていたりしても、その制限に合わせたファイルサイズの画像ファイルを最初から作成することができ、読み込んだ画像データのサイズが大き過ぎて送受信できないというような問題が解消される。
また、請求項２および請求項４記載の発明では、原稿上の画像を読み取り、読み取った画像データをファイル化する際、読み取られた１ページまたは複数ページの画像データのファイルサイズが指定されたファイルサイズ以上か否かが判定され、指定されたファイルサイズ以上であると判定された場合、１個のファイルのファイルサイズが指定されたファイルサイズ以下になるように、ファイルが自動的に分割されるので、解像度は変らず、したがって、希望通りの画質のまま希望通りのファイルサイズの画像ファイルを作成できる。
また、請求項５記載の発明では、請求項４記載の発明において、読み取られた複数ページの画像データのファイルを分割する場合、ページ単位で分割されるので、分割されたファイルをそのまま見たとしても、特に問題なく見ることができる。
【図面の簡単な説明】
【図１】本発明の第１の実施例を示す画像読み取り保管装置の構成ブロック図である。
【図２】本発明の第１の実施例を示す画像ファイル化方法の動作フロー図である。
【図３】本発明の第２の実施例を示す画像ファイル化方法の動作フロー図である。
【符号の説明】
１　画像読み取り部
２　読み取り制御部
３　主制御部
４　画像データ保管部
５　ファイルサイズ調整制御部
６　画像データ出力制御部
７　入力装置
８　表示装置
【図１】
2004080336.tif 000003
【図２】
2004080336.tif 000004
【図３】
2004080336.tif 000005